(57)【要約】【課題】瞬間的な感電を防ぐために電磁式スイッチを備える安定器互換型ランプを提供すること。【解決手段】第１の外部電源を入力される第１の入力端と、第２の外部電源を入力される第２の入力端と、前記第１の入力端と電気的に接続されて、既に設定された条件に応じてスイッチをオン／オフにする第１のスイッチモジュールと、第２の入力端と電気的に接続されて、既に設定された条件に応じてスイッチをオン／オフにする第２のスイッチモジュールと、第１のスイッチモジュール及び第２のスイッチモジュールと電気的に接続されて、過電圧を防ぐ過電圧保護回路と、過電圧保護回路と電気的に接続されて、第１のスイッチモジュール、第１のスイッチモジュール、過電圧保護回路の状態を感知して制御する制御モジュールと、制御モジュールと電気的に接続されて、電源が印加されると光を照射する光源と、を備える漏れ電流保護回路を備える安定器互換型ランプ。【選択図】図３
2017059531.tif 000002
【特許請求の範囲】
【請求項１】
第１の外部電源を入力される第１の入力端と、
第２の外部電源を入力される第２の入力端と、
前記第１の入力端と電気的に接続されて、既に設定された条件に応じてスイッチをオン／オフにする第１のスイッチモジュールと、
前記第２の入力端と電気的に接続されて、既に設定された条件に応じてスイッチをオン／オフにする第２のスイッチモジュールと、
前記第１のスイッチモジュール及び前記第２のスイッチモジュールと電気的に接続されて、過電圧を防ぐ過電圧保護回路と、
前記過電圧保護回路と電気的に接続されて、前記第１のスイッチモジュール、前記第１のスイッチモジュール、前記過電圧保護回路の状態を感知して制御する制御モジュールと、
前記制御モジュールと電気的に接続されて、電源が印加されると光を照射する光源と、
を備える漏れ電流保護回路を備える安定器互換型ランプ。
【請求項２】
前記第１の外部電源または前記第２の外部電源は、
商用電源が安定器において既に設定された第１の外部電源及び第２の外部電源に変換されて、前記第１の入力端または前記第２の入力端に入力されることを特徴とする請求項１に記載の漏れ電流保護回路を備える安定器互換型ランプ。
【請求項３】
前記第１の入力端から入力された前記第１の外部電源を整流して、前記第１のスイッチモジュールに印加する第１の整流回路と、
前記第２の入力端から入力された前記第２の外部電源を整流して、前記第２のスイッチモジュールに印加する第２の整流回路と、
をさらに備える請求項１に記載の漏れ電流保護回路を備える安定器互換型ランプ。
【請求項４】
前記第１の整流回路または前記第２の整流回路は、
ブリッジダイオードであることを特徴とする請求項３に記載の漏れ電流保護回路を備える安定器互換型ランプ。
【請求項５】
前記第１のスイッチモジュールまたは前記第２のスイッチモジュールは、
スイッチモジュールがオフ状態である場合、逆方向の電流を遮断する逆バイアスダイオードと、
既に設定された電圧以上の電圧が印加されると動作する過渡電圧抑制（ＴＶＳ）ダイオードと、
前記過渡電圧抑制（ＴＶＳ）ダイオードの損傷を防ぐ保護抵抗と、
既に設定された条件に応じてオン／オフにするスイッチ素子と、
ノイズフィルタリングの役割を果たすキャパシタと、
を備えることを特徴とする請求項１に記載の漏れ電流保護回路を備える安定器互換型ランプ。
【請求項６】
前記スイッチ素子は、
サイリスタ（ＳＣＲ）または電界効果トランジスタ（ＦＥＴ）であることを特徴とする請求項５に記載の漏れ電流保護回路を備える安定器互換型ランプ。
【請求項７】
前記スイッチ素子は、
スイッチ素子に印加される電圧の大きさに応じてオン／オフにすることを特徴とする請求項５に記載の漏れ電流保護回路を備える安定器互換型ランプ。
【請求項８】
前記過渡電圧抑制（ＴＶＳ）ダイオードは、
ダイオードに印加される電圧が５４Ｖ以上である場合に動作することを特徴とする請求項５に記載の漏れ電流保護回路を備える安定器互換型ランプ。
【請求項９】
前記第１のスイッチモジュールの出力端及び前記第２のスイッチモジュールの出力端は、電気的に接続されることを特徴とする請求項１に記載の漏れ電流保護回路を備える安定器互換型ランプ。
【請求項１０】
前記第１の外部電源が正常的に入力され、且つ、前記第２の外部電源がオープン状態である場合、前記第１のスイッチモジュールはオン状態であり、前記第２のスイッチモジュールはオフ状態であることを特徴とする請求項１に記載の漏れ電流保護回路を備える安定器互換型ランプ。
【請求項１１】
前記第１の外部電源がオープン状態であり、且つ、前記第２の外部電源が正常的に入力される場合、前記第１のスイッチモジュールはオフ状態であり、前記第２のスイッチモジュールはオン状態であることを特徴とする請求項１に記載の漏れ電流保護回路を備える安定器互換型ランプ。
【請求項１２】
前記光源は、
発光ダイオード（ＬＥＤ）であることを特徴とする請求項１に記載の漏れ電流保護回路を備える安定器互換型ランプ。
【請求項１３】
前記安定器互換型ランプは、
一方の端に第１の入力端が存在し、且つ、他方の端に第２の入力端が存在する直管型ランプであることを特徴とする請求項１に記載の漏れ電流保護回路を備える安定器互換型ランプ。
【請求項１４】
前記第１の入力端は、第１の外部電源を入力される第１の入力電極をさらに備え、前記第２の入力端は、第２の外部電源を入力される第２の入力電極をさらに備えることを特徴とする請求項１に記載の漏れ電流保護回路を備える安定器互換型ランプ。
【発明の詳細な説明】
【技術分野】
【０００１】
本発明は、第１の外部電源を入力される第１の入力端、第２の外部電源を入力される第２の入力端、第１の入力端と電気的に接続されて、既に設定された条件に応じてスイッチをオン／オフにする第１のスイッチモジュール、第２の入力端と電気的に接続されて、既に設定された条件に応じてスイッチをオン／オフにする第２のスイッチモジュール、第１のスイッチモジュール及び第２のスイッチモジュールと電気的に接続されて、過電圧を防ぐ過電圧保護回路、過電圧保護回路と電気的に接続されて、第１のスイッチモジュール、第１のスイッチモジュール、過電圧保護回路の状態を感知して制御する制御モジュール、制御モジュールと電気的に接続されて、電源が印加されると光を照射する光源を備える漏れ電流保護回路を備える安定器互換型ランプに関する。
【背景技術】
【０００２】
図１を参照すると、蛍光ランプまたは発光ダイオード（ＬＥＤ：Ｌｉｇｈｔ Ｅｍｉｔｔｉｎｇ Ｄｉｏｄｅ）には安定器（Ｂａｌｌａｓｔ Ｓｔａｂｉｌｉｚｅｒ）が採用されるが、このような安定器は、高い電圧の電気を形成し、過剰な電流が流れることを防ぐ役割を果たす。商用電源（例えば、１１０Ｖ、２２０Ｖの電源）が電灯と直結されることなく、安定器を一回経た後に電灯と連結することも同じ理由である。
【０００３】
このような安定器を採用する安定器互換型ランプの場合、ユーザーがランプを取り替えたり整備したりするとき、漏れ電流（ｌｅａｋａｇｅ ｃｕｒｒｅｎｔ）による感電を防ぐために接触式プッシュ方式など通常の機械式スイッチを用いている。
【０００４】
ところが、安定器を適用したランプの場合、最初には、約１ｋＶ以上の駆動電圧が０．２秒間印加される。このとき、機械式スイッチを適用した製品は、長時間に亘って使用すると、機械式スイッチそれ自体の内部金属プレートに高圧電源が印加され続ける。このため、オープン状態にあるべき機械式スイッチが瞬時に物理的に短絡状態に陥ってしまう場合が生じ、ユーザーに瞬間的な感電の危険を与えてしまうという問題があった。
【０００５】
また、機械式スイッチは、発光ダイオード（ＬＥＤ）ランプにおいて最も重要な争点として取り上げられる放水が適用できないが故に、スイッチの間に湿気が浸透してしまい、これは、不良の発生につながる。したがって、瞬間的な過電圧を遮断し、且つ、漏れ電流を防ぐ安定器互換型ランプの実現方案への取り組みが盛んに行われていた。
【発明の開示】
【発明が解決しようとする課題】
【０００６】
本発明は、上述したように、瞬間的な感電を防ぐために電磁式スイッチを備える安定器互換型ランプを提供することを目的とする。
【０００７】
本発明が解決しようとする技術的課題は、上述した技術的課題に何等制限されるものではなく、後述する内容から通常の技術者にとって自明な範囲内において種々の技術的課題が含まれ得る。
【課題を解決するための手段】
【０００８】
上述した課題を解決するための本発明の一実施形態による漏れ電流保護回路を備える安定器互換型ランプは、第１の外部電源を入力される第１の入力端と、第２の外部電源を入力される第２の入力端と、前記第１の入力端と電気的に接続されて、既に設定された条件に応じてスイッチをオン／オフにする第１のスイッチモジュールと、前記第２の入力端と電気的に接続されて、既に設定された条件に応じてスイッチをオン／オフにする第２のスイッチモジュールと、前記第１のスイッチモジュール及び前記第２のスイッチモジュールと電気的に接続されて、過電圧を防ぐ過電圧保護回路と、前記過電圧保護回路と電気的に接続されて、前記第１のスイッチモジュール、前記第１のスイッチモジュール、前記過電圧保護回路の状態を感知して制御する制御モジュールと、前記制御モジュールと電気的に接続されて、電源が印加されると光を照射する光源と、を備えることを特徴とする。
【０００９】
また、本発明の一実施形態による漏れ電流保護回路を備える安定器互換型ランプは、前記第１の外部電源または前記第２の外部電源が商用電源が安定器において既に設定された第１の外部電源及び第２の外部電源に変換されて、前記第１の入力端または前記第２の入力端に入力されることを特徴とする。
【００１０】
さらに、本発明の一実施形態による漏れ電流保護回路を備える安定器互換型ランプは、前記第１の入力端から入力された前記第１の外部電源を整流して、前記第１のスイッチモジュールに印加する第１の整流回路と、前記第２の入力端から入力された前記第２の外部電源を整流して、前記第２のスイッチモジュールに印加する第２の整流回路と、をさらに備えることを特徴とする。このとき、前記第１の整流回路または前記第２の整流回路は、ブリッジダイオードであることを特徴とする。
【００１１】
さらにまた、本発明の一実施形態による漏れ電流保護回路を備える安定器互換型ランプは、前記第１のスイッチモジュールまたは前記第２のスイッチモジュールは、スイッチモジュールがオフ状態である場合、逆方向の電流を遮断する逆バイアスダイオードと、既に設定された電圧以上の電圧が印加されると動作する過渡電圧抑制（ＴＶＳ）ダイオードと、前記過渡電圧抑制（ＴＶＳ）ダイオードの損傷を防ぐ保護抵抗と、既に設定された条件に応じてオン／オフにするスイッチ素子と、ノイズフィルタリングの役割を果たすキャパシタと、を備えることを特徴とする。
【００１２】
このとき、本発明の一実施形態による漏れ電流保護回路を備える安定器互換型ランプは、前記スイッチ素子がサイリスタ（ＳＣＲ）または電界効果トランジスタ（ＦＥＴ）であることを特徴とする。また、前記スイッチ素子は、スイッチ素子に印加される電圧の大きさに応じてオン／オフにすることを特徴とする。なお、前記過渡電圧抑制（ＴＶＳ）ダイオードは、ダイオードに印加される電圧が５４Ｖ以上である場合に動作することを特徴とする。
【００１３】
加えて、本発明の一実施形態による漏れ電流保護回路を備える安定器互換型ランプは、前記第１のスイッチモジュールの出力端及び前記第２のスイッチモジュールの出力端が電気的に接続されることを特徴とする。
【００１４】
一方、本発明の一実施形態による漏れ電流保護回路を備える安定器互換型ランプは、前記第１の外部電源が正常的に入力され、且つ、前記第２の外部電源がオープン状態である場合、前記第１のスイッチモジュールはオン状態であり、前記第２のスイッチモジュールはオフ状態であることを特徴とする。
【００１５】
また、本発明の一実施形態による漏れ電流保護回路を備える安定器互換型ランプは、前記第１の外部電源がオープン状態であり、且つ、前記第２の外部電源が正常的に入力される場合、前記第１のスイッチモジュールはオフ状態であり、前記第２のスイッチモジュールはオン状態であることを特徴とする。
【００１６】
さらに、本発明の一実施形態による漏れ電流保護回路を備える安定器互換型ランプは、前記光源が発光ダイオード（ＬＥＤ）であることを特徴とする。なお、前記安定器互換型ランプは一方の端に第１の入力端が存在し、且つ、他方の端に第２の入力端が存在する直管型ランプであることを特徴とする。
【００１７】
さらにまた、本発明の一実施形態による漏れ電流保護回路を備える安定器互換型ランプは、前記第１の入力端は、第１の外部電源を入力される第１の入力電極をさらに備え、前記第２の入力端は、第２の外部電源を入力される第２の入力電極をさらに備えることを特徴とする。
【発明の効果】
【００１８】
本発明によれば、瞬間的な感電を防ぐために電磁式スイッチを備える安定器互換型ランプを提供して、落下及び点灯不良などの事故から消費者を保護することができる。
【００１９】
また、従来の機械式スイッチを適用する場合、金型不良及び組立て不良が生じる虞があり、金型の取替えに約４千ウォン〜６千ウォンのコストが別途にかかる。しかしながら、本発明の漏れ電流保護回路を備える安定器互換型ランプは、電磁式スイッチを用いることから、別途の金型不良が生じるという問題が発生しない。
【００２０】
さらに、本発明の漏れ電流保護回路を備える安定器互換型ランプには防水処理が施されることから、湿度の高い地域（例えば、屋外など）に設置可能であり、その結果、顧客社が設置する設置自由度が向上する。
【００２１】
さらにまた、本発明の漏れ電流保護回路を備える安定器互換型ランプは、直管型ランプの両端にそれぞれスイッチモジュールを設けて、どのような端を接触しても、スイッチモジュールがオフ状態に入るので、感電の危険を効果的に防ぐことができる。
【図面の簡単な説明】
【００２２】
【図１】従来の技術の一実施形態による安定器互換型ランプの実施形態を示す例示図である。
【図２】従来の技術の一実施形態による安定器互換型ランプの実施形態を示す例示図である。
【図３】本発明の一実施形態による漏れ電流保護回路を備える安定器互換型ランプを示す構成図である。
【図４】本発明の一実施形態による漏れ電流保護回路を備える安定器互換型ランプを示す例示図である。
【図５ａ】本発明の一実施形態による漏れ電流保護回路を備える安定器互換型ランプのスイッチモジュールの実施形態を示す構成図である。
【図５ｂ】本発明の一実施形態による漏れ電流保護回路を備える安定器互換型ランプのスイッチモジュールの実施形態を示す構成図である。
【図６】本発明の一実施形態による漏れ電流保護回路を備える安定器互換型ランプが過電圧状態で遮断される動作方法を示す例示図である。
【発明を実施するための形態】
【００２３】
以下、添付図面を参照して本発明による「漏れ電流保護回路を備える安定器互換型ランプ」について詳細に説明する。ここで説明する実施形態は、本発明の技術思想を通常の技術者が理解し易くするために提供されるものであり、これらにより本発明が限定されることはない。なお、添付図面に示す事項は、本発明の実施形態を説明し易いように図式化されたものであり実際に実現される形態と異なる場合がある。
【００２４】
一方、後述する各構成部は、本発明を実現するための例に過ぎない。したがって、本発明の他の実施形態においては、本発明の思想及び範囲を逸脱しない範囲内において他の構成部が使用可能である。
【００２５】
また、ある構成要素を「備える」という表現は、「開放型」の表現であり、当該構成要素が存在することを単に指し示すものに過ぎず、追加的な構成要素を排除するものと理解されてはならない。
【００２６】
さらに、「第１の、第２の」などの表現は、複数の構成要素を区別するための用途にのみ用いられる表現であり、構成要素間の順序やその他の特徴を限定しない。
【００２７】
さらにまた、本発明の「電源」は、「電圧」、「電力」、「電流」など通常の電気回路に使用可能な電気エネルギーのあらゆる種類を網羅するものである。
【００２８】
図１及び図２は、従来の技術の一実施形態による安定器互換型ランプの実施形態を示す例示図である。
【００２９】
図１を参照すると、蛍光ランプまたは発光ダイオード（ＬＥＤ）には安定器が採用されるが、このような安定器は、高い電圧の電気を形成し、過剰な電流が流れることを防ぐ役割を果たす。商用電源（例えば、１１０Ｖ、２２０Ｖの電源）が電灯と直結されることなく、安定器を一回経た後に電灯と連結することも同じ理由である。安定器は、電磁式（Ｅｌｅｃｔｒｏｎｉｃ）または磁石式（Ｍａｇｎｅｔｉｃ）など多岐に亘り、安定器の性能及び種類に応じてランプの性能が左右されるといわれるほど重要な役割を果たす。
【００３０】
ところが、図２を参照すると、ユーザー２４０が直管型ランプ２３０を取り替えたりメンテナンスをしたりする場合、第２の電極２３２に直接的に当接されることがある。このとき、商用電源２１０と接続された安定器２２０が直管型ランプの第１の電極２３１を介して通電され、地面ＧＮＤにあるユーザーに漏れ電流が流れる虞があり、直管型ランプに過電圧が印加される虞がある。
【００３１】
このため、直管型ランプは、過電圧の印加により破損及びの危険が生じ、ユーザーは感電の危険を抱えているため、直管型ランプには安全のためのスイッチをさらに組み付けて用いる。
【００３２】
図３は、本発明の一実施形態による漏れ電流保護回路を備える安定器互換型ランプを示す構成図である。
【００３３】
図３を参照すると、本発明の漏れ電流保護回路を備える安定器互換型ランプは、第１の入力端３１０、第２の入力端３２０、第１のスイッチモジュール３３０、第２のスイッチモジュール３４０、過電圧保護回路３５０、制御モジュール３６０、光源３７０を備えていてもよい。
【００３４】
第１の入力端３１０は第１の外部電源３１１を入力され、第２の入力端３２０は第２の外部電源３２１を入力される。このとき、前記第１の外部電源または前記第２の外部電源は、商用電源が安定器において既に設定された第１の外部電源及び第２の外部電源に変換されて、前記第１の入力端または前記第２の入力端に入力されることを特徴とする。
【００３５】
安定器は、安定器と接続されたランプに所定の出力値及び消費電力を与えるように設けられる。安定器を設ける場合、節電効果があり、しかも、安定器に接続されたランプの寿命がさらに延びるというメリットがある。また、安定器互換型ランプを用いる場合、ランプを取り替えても互換し易く、故障に対する懸念が減る。一方、従来に用いられる蛍光灯安定器の場合にも、蛍光灯代替型発光ダイオード（ＬＥＤ）ランプを用いることができる。安定器互換型ランプを用いる場合、多種多様な安定器を用いても、既存の安定器及びランプが互換されて用いられる。
【００３６】
したがって、本発明の第１の入力端または第２の入力端は、商用電源（例えば、２２０Ｖ、１１０Ｖなど）から直結されることなく、安定器によって第１の外部電源または第２の外部電源に変換された後に入力されるようにして、ランプの寿命を延ばして故障を減らすことができる。但し、使用先に応じて、安定器を取り外して商用電源が直ちに第１の入力端または第２の入力端に入力されてもよい。
【００３７】
第１のスイッチモジュール３３０は第１の入力端３１０と電気的に接続されて、既に設定された条件に応じてスイッチをオン／オフにする。また、第２のスイッチモジュール３４０は第２の入力端３２０と電気的に接続されて、既に設定された条件に応じてスイッチをオン／オフにする。
【００３８】
第１のスイッチモジュールまたは第２のスイッチモジュールは、第１の入力端または第２の入力端から入力される電源の状態に応じて、スイッチモジュールそれ自体に組み込まれているスイッチ素子をオン／オフにして、感電の危険及び過電圧の印加を防ぐ。
【００３９】
図４、図５ａ及び図５ｂを参照すると、第１のスイッチモジュールまたは第２のスイッチモジュールは、逆バイアスダイオード３３１、３４１、過渡電圧抑制（ＴＶＳ）ダイオード３３２、３４２、保護抵抗３３３、３４３、スイッチ素子３３４、３４４、キャパシタ３３５、３４５を備えていてもよい。
【００４０】
逆バイアスダイオード３３１、３４１は、スイッチモジュールがオフ状態である場合、逆方向の電流を遮断する。例えば、第１の入力端の入力が正常であり、且つ、第２の入力端の入力がオープン状態である場合、第２のスイッチモジュール３４０の状態はオフ状態となる。ところが、第１のスイッチモジュールの状態はオン状態であるため、過電圧保護回路または制御モジュールから逆方向の電流が第１の入力端に逆バイアスされる可能性がある。このため、ダイオード３３１、３４１などの素子を適切に配設して、逆バイアスダイオードを用いてより安全なランプを実現することができる。
【００４１】
過渡電圧抑制（ＴＶＳ）ダイオード３３２、３４２は、既に設定された電圧以上の電圧が印加されると動作する。このとき、過渡電圧抑制（ＴＶＳ）ダイオードは、ダイオードに印加される電圧が５４Ｖ以上である場合に動作することを特徴とする。このような過渡電圧抑制（ＴＶＳ）ダイオードは、高電圧過渡において敏感な電子機器を保護するために設計された電子部品であり、過電圧においてより早く応答することができ、正常的なダイオードよりも大きな断面積を有するとともに、所定のレベルに電圧を制限することにより作動する。一般的には、静電気放電またはデータラインと関連し、照明罷業及び誘導性負荷スイッチングにより誘導される激しい圧力を防ぐために用いることができる。
【００４２】
また、過渡電圧抑制（ＴＶＳ）ダイオードは、静電気放電や誘導性負荷スイッチングまたは誘導放電において発生する電気的な過渡状態から回路を防ぐために用いられる。過渡電圧抑制（ＴＶＳ）においては、回路の損傷を与える電圧の流入に当たって、この電圧の大きさを回路が損傷されない程度に減らす。なお、過渡現象が発生すると、過渡電圧抑制（ＴＶＳ）は、直ちに制限電圧（Ｃｌａｍｐｉｎｇ Ｖｏｌｔａｇｅ）を基準として電圧を制限する。
【００４３】
保護抵抗３３３、３４３は、過渡電圧抑制（ＴＶＳ）ダイオード３３２、３４２と直列に接続されて、過渡電圧抑制（ＴＶＳ）ダイオードの損傷を防ぐ。第１の入力端または第２の入力端に電源が入力される場合、瞬間的なスパイク電流が通じることがあるが、保護抵抗の存在によりダイオードを保護することができる。
【００４４】
スイッチ素子３３４、３４４は、既に設定された条件に応じてオン／オフにすることができる。このとき、スイッチ素子は、スイッチ素子に印加される電圧の大きさに応じてオン／オフにすることを特徴とする。このとき、スイッチ素子が動作することについての詳細な説明は、図６に基づいて行う。
【００４５】
また、スイッチ素子は、サイリスタ（ＳＣＲ）または電界効果トランジスタ（ＦＥＴ）であることを特徴とし、電気的なスイッチ素子として使用可能なあらゆる半導体素子を用いて実現することができる。
【００４６】
図５ａを参照すると、本発明の漏れ電流保護回路を備える安定器互換型ランプは、サイリスタ（ＳＣＲ）により実現されてもよい。サイリスタ（ｔｈｙｒｉｓｔｏｒ；ＳＣＲ）は４層半導体素子であり、シリコン制御整流器とも呼ばれる。このようなサイリスタは、整流器の一種であり、ゲートから陰極にゲート電流を流して、陽極及び陰極間を導通させる。ゲートに所定の電流を通過させると、陽極及び陰極の間が導通（スイッチオン）されるという性質を有し、陽極及び陰極間の電流を所定の値以下に下げると停止（スイッチオフ）する。このため、サイリスタは無接点オン／オフスイッチとして動作することができる。
【００４７】
このようなサイリスタは、高電圧対電流を制御し易く、制御ゲインが高く、ゲート信号が消滅してもオン状態を維持することができる。なお、寿命が阪急気的であるため信頼性が高く、サージ電圧電流にも強く、小型／軽量であるため機器や装置に非常に設置し易いというメリットがある。
【００４８】
また、図５ａの場合、安定器互換型ランプの第１のスイッチモジュールまたは第２のスイッチモジュールは、サイリスタ及び複数の抵抗からなる。しかしながら、複数の抵抗からなる場合、第１の入力端から入力される入力電源が抵抗値に応じて電圧分配または電流分配の用途にのみ用いられる。しかしながら、本発明のように直列に接続される抵抗とダイオード、キャパシタによりスイッチモジュールを構成する場合、別途の電圧分配がなくても所定の電圧以上であれば直ちに作動し、ダイオードを効果的に保護し、且つ、信号のノイズを除去することができるというメリットがある。
【００４９】
図５ｂを参照すると、本発明の漏れ電流保護回路を備える安定器互換型ランプは、電界効果トランジスタ（ＦＥＴ）により実現されてもよい。電界効果トランジスタ（ＦＥＴ）は、入力インピーダンスが非常に高いという特性を有し、電圧により駆動される。電界効果トランジスタ（ＦＥＴ）は、ゲートに印加される電圧の大きさに応じて、ドレインとソースとの間に流れる電流が大幅に変化する。このため、電界効果トランジスタ（ＦＥＴ）もまた、ゲートに印加される電圧の大きさに応じてオン／オフ状態を変化させることができるので、オン／オフスイッチとして用いることができる。
【００５０】
キャパシタ３３５、３４５は、ノイズフィルタリングの役割を果たす。第１の入力電源または第２の入力電源から入力される電源に存在するノイズを除去するためにキャパシタを配設してもよく、キャパシタ及び抵抗を並列に接続したＲ−Ｃフィルタを用いてもよい。
【００５１】
過電圧保護回路３５０は、前記第１のスイッチモジュール及び前記第２のスイッチモジュールと電気的に接続されて、過電圧を防ぐ。このとき、過電圧保護回路は、安定器互換回路の役割も果たすことができる。これは、安定器の種類が非常に多岐に亘るため、安定器ごとに異なる性能を有し、その結果、異なる安定器を連結する場合に過電圧が印加される虞があるためである。このため、過電圧を防ぎ、回路を保護する役割を果たす。
【００５２】
また、前記第１のスイッチモジュールの出力端及び前記第２のスイッチモジュールの出力端は、電気的に接続されることを特徴とする。このため、第１の入力端及び第２の入力端など入力端子においてそれぞれ別々に動作していて、過電圧保護回路において第１のスイッチモジュール及び第２のスイッチモジュールが電気的に接続されるので、一つの制御モジュールが両端に位置する入力端及びスイッチモジュールを制御することができる。
【００５３】
制御モジュール３６０は過電圧保護回路と電気的に接続されて、前記第１のスイッチモジュール、前記第１のスイッチモジュール、前記過電圧保護回路の状態を感知して制御する。
【００５４】
光源３７０は制御モジュールと電気的に接続されて、電源が印加されると光を照射する。このとき、前記光源は、発光ダイオード（ＬＥＤ）であることを特徴とする。
【００５５】
さらに、本発明の漏れ電流保護回路を備える安定器互換型ランプは、第１の整流回路３８０または第２の整流回路３９０をさらに備えていてもよい。第１の整流回路３８０は、前記第１の入力端から入力された前記第１の外部電源を整流して前記第１のスイッチモジュールに印加し、第２の整流回路３９０は、前記第２の入力端から入力された前記第２の外部電源を整流して前記第２のスイッチモジュールに印加する。このとき、前記第１の整流回路または前記第２の整流回路は、ブリッジダイオードであることを特徴とする。
【００５６】
さらにまた、本発明の漏れ電流保護回路を備える安定器互換型ランプは、一方の端に第１の入力端が存在し、且つ、他方の端に第２の入力端が存在する直管型ランプであることを特徴とする。なお、前記第１の入力端は、第１の外部電源を入力される第１の入力電極をさらに備え、前記第２の入力端は、第２の外部電源を入力される第２の入力電極をさらに備えることを特徴とする。
【００５７】
図６は、本発明の一実施形態による漏れ電流保護回路を備える安定器互換型ランプが過電圧状態において遮断する動作方法を示す例示図である。
【００５８】
本発明の漏れ電流保護回路を備える安定器互換型ランプは、前記第１の外部電源が正常的に入力され、且つ、前記第２の外部電源がオープン状態である場合、前記第１のスイッチモジュールはオン状態であり、前記第２のスイッチモジュールはオフ状態であることを特徴とする。また、前記第１の外部電源がオープン状態であり、且つ、前記第２の外部電源が正常的に入力される場合、前記第１のスイッチモジュールはオフ状態であり、前記第２のスイッチモジュールはオン状態であることを特徴とする。
【００５９】
このとき、第１の外部電源または第２の外部電源が正常的に入力される状態とは、安定器と接触して入力される状態のことをいい、第１の外部電源または第２の外部電源がオープン状態とは、安定器と非接触の状態で入力されない状態のことをいう。
【００６０】
図６を参照すると、本発明の第１の入力端が第１の外部電源と接続された状態であり、第２の入力端は第２の外部電源と接続されていないオープン状態である。第１の外部電源が印加されるため、第１の整流回路を経て第１のスイッチモジュールがオン状態になる。しかしながら、第２のスイッチモジュールは外部電源が印加されないためオフ状態を維持し、第２の入力端３２０側に位置するユーザーに漏れ電流が流れないように第２のスイッチモジュールが遮断する。同様に、第２の入力端が第２の外部電源と接続された状態であり、第１の入力端側をユーザーが接触しても、第１のスイッチモジュールがオフ状態に切り換わるため遮断する。
【００６１】
上述した本発明の実施形態は例示の目的のために開示されたものであり、これらにより本発明が限定されることはない。なお、本発明が属する技術分野において通常の知識を有する者であれば、本発明の思想及び範囲内において様々な修正及び変更を加えることができる筈であり、このような修正及び変更は本発明の範囲に属するものであると見なすべきである。
【符号の説明】
【００６２】
２１０：商用電源
２２０：安定器
２３０：直管型ランプ
２３１：直管型ランプの第１の電極
２３２：直管型ランプの第２の電極
２４０：ユーザー
３１０：第１の入力端
３１１：第１の外部電源
３２０：第２の入力端
３２１：第２の外部電源
３１２、３２２：キャパシタ
３３０：第１のスイッチモジュール
３４０：第２のスイッチモジュール
３３１、３４１：逆バイアスダイオード
３３２、３４２：過渡電圧抑制（ＴＶＳ）ダイオード
３３３、３４３：保護抵抗
３３４、３４４：スイッチ素子
３３５、３４５：キャパシタ
３５０：過電圧保護回路
３５１：抵抗
３５２：サイリスタ
３５３：ダイオード
３５４、３５５：キャパシタ
３６０：制御モジュール
３７０：光源
３８０：第１の整流回路
３９０：第２の整流回路
【図１】
2017059531.tif 000003
【図２】
2017059531.tif 000004
【図３】
2017059531.tif 000005
【図４】
2017059531.tif 000006
【図５ａ】
2017059531.tif 000007
【図５ｂ】
2017059531.tif 000008
【図６】
2017059531.tif 000009